(57)【特許請求の範囲】
【請求項１】
コンバータ回路部，インバータ回路部，および高調波対策として主回路に接続したコンデンサ，リアクトルなどのフィルタ回路部をそれぞれユニット化して盤内に収容し、この盤内に冷却風を通風して前記各ユニットの回路部品を風冷するようにした電力変換装置であり、前記のフィルタ回路部については主回路の各相に接続する回路部品をユニットフレームに千鳥状に並置配列した上で、前記回路部品の相互間に跨がり板状のバー導体を布設して配線接続したものにおいて、
前記回路部品の相互間に布設した板状バー導体を、前記回路部品に向けて盤内に送風する冷却風の流れに対して上流左側に配した左側板状バー導体はその左側縁を、上流右側に配した右側板状バー導体はその右側側縁をそれぞれＬ形に屈曲し、前記右側板状バー導体と前記左側板状バー導体とで、前記盤内に送風する冷却風を前記回路部品に向けて導風する断面Ｕ字形の風胴を形成したことを特徴とする電力変換装置。
【請求項２】
請求項１に記載の電力変換装置において、風胴形状に形成したバー導体の風胴入口側に冷却風を取り込む風向ガイドを形成したことを特徴とする電力変換装置。
【請求項３】
請求項１または２に記載の電力変換装置において、フィルタ回路部の回路部品は、主回路の入，出力側に接続したノイズ抑制用のコンデンサであることを特徴とする電力変換装置。
【発明の詳細な説明】
【技術分野】
【０００１】
本発明は、無停電電源装置などに適用する電力変換装置に関し、詳しくは該電力変換装置の高調波対策（リップル，ノイズの低減）として主回路に接続したコンデンサ，リアクトルなどの回路部品に対する風冷，配線構造に係わる。
【背景技術】
【０００２】
まず、頭記した無停電電源装置を例に、本発明の実施対象となる電力変換装置の構成を図３〜図５に示す。図３（ａ），（ｂ）において、１は前面に扉２を備えた制御盤で、その盤内に仕切られた上下段の各ユニット室にはコンバータ回路ユニット３，インバータ回路ユニット４，高調波抑制対策として主回路の入力，出力側に接続したリアクトルユニット５，ＭＣ（電磁接触器）ユニット６，端子ユニット７などがラックマウント式に収容されている。また、制御盤１の天井部に送風ファン８を配備し、前面扉２に開口した外気吸気口のグリル９より吸い込んだ外気を盤内に送風し、前記ユニットごとにその回路部品（パワー半導体モジュール，リアクトル，コンデンサ，抵抗などの発熱素子）を冷却するようにしている（例えば、特許文献１参照）。
【０００３】
また、前記のＭＣユニット６については、図４（ａ），（ｂ）で示すように、前面，上面を開放した箱形のユニットフレーム６ａに電磁接触器１０，およびコンバータ回路とインバータ回路との間のＤＣリンクに接続したリアクトル１１，直流コンデンサ１２のほか、ユニット６の後部には入，出力側の主回路に接続したノイズ抑制用のフィルタ回路部１３をユニットフレーム６ａに搭載装備している。
【０００４】
次に、前記フィルタ回路部１３についての従来の配置構造を図５に、その回路結線を図６示す。すなわち、図６の３相主回路に対してＵ，Ｖ，Ｗ各相の間にコンデンサ１４を２個ずつ並列にデルタ結線してノイズ低減用のフィルタ回路を形成している。
【０００５】
ここで、前記コンデンサ１４（角形のＡＣコンデンサ）は、Ｕ−Ｖ，Ｖ−Ｗ，Ｗ−Ｕ相の間に並列接続する２個のコンデンサを組として、合計６個のコンデンサ１４を図５（ａ）のようにユニットフレーム６ａの背面パネルに千鳥状に配列し、かつ各コンデンサ１４のリード端子相互間に跨がりＵ，Ｖ，Ｗ各相に対応する銅板製のバー導体１５，１６，１７を接続した上で、この銅バー導体１５，１６，１７からＵ，Ｖ，Ｗ相、およびｕ，ｖ，ｗ相の主回路電線１８，１９を引き出すようにしている。
【０００６】
また、フィルタ回路部１３のコンデンサ１４，銅バー導体１５〜１７，および主回路電線１８，１９の引出し部分を包囲してユニットフレーム６ａのパネル面には専用の風胴２０を設け、この風胴２０を通して盤内に送風する冷却風をコンデンサ１４に向け集中的に導風して発熱部品のコンデンサ１４を冷却するようにしている。
【先行技術文献】
【特許文献】
【０００７】
【特許文献１】特開２０１０−１４７１３１号公報
【発明の概要】
【発明が解決しようとする課題】
【０００８】
先記のように従来構造では、電力変換装置の盤内のユニットに構築したフィルタ回路部１３のコンデンサ１４に向け盤内に送風する冷却風を集中的に流して冷却するために、図５のようにコンデンサ１４の周域を取り囲んでユニットフレーム６ａに専用の風胴２０を設けている。
【０００９】
しかしながら、フィルタ回路部１３に専用の風胴２０を設けた従来構造では、図５（ａ）で示すように、コンデンサ１４，およびコンデンサ１４を相互接続する銅バー導体１５，１６，１７の占有幅ａ、および銅バー導体１５，１６，１７の左右両端から側方に引出した主回路電線１８，１９の配線スペース幅ｂを風胴２０の内部に確保する必要があり、さらにこの風胴２０をフレーム６ａのパネルに設置するための取付スペース幅ｃも加わって風胴２０の設置に必要なスペース幅ｄが大形化する。そのほか、コンデンサ１４の周辺に他の回路部品，機器が接近して配置されていると、その部品相互間の熱的干渉も加わってコンデンサ１４が高温になるおそれもある。
【００１０】
本発明は上記の点に鑑みなされたものであり、その目的はコンバータ回路ユニット，インバータ回路ユニットと組合せて盤内に収容した先記フィルタ回路部などを対象に、従来構造で設けていた専用の風胴を排除して盤内に収容するユニットの省スペース化を図りつつ、その回路部品の間に布設して相互接続した板状のバー導体を巧みに利用して盤内に送風する冷却風を回路部品に向け集中的に導風できるように配線構造を改良した電力変換装置を提供することにある。
【課題を解決するための手段】
【００１１】
上記目的を達成するために、本発明によれば、コンバータ回路部，インバータ回路部，および高調波対策として主回路に接続したコンデンサ，リアクトルなどのフィルタ回路部をそれぞれユニット化して盤内に収容し、この盤内に冷却風を通風して前記各ユニットの回路部品を風冷するようにした電力変換装置であり、前記のフィルタ回路部については主回路の各相に接続する回路部品をユニットフレームに千鳥状に並置配列した上で、前記回路部品の相互間に跨がり板状のバー導体を布設して配線接続したものにおいて、
前記回路部品の相互間に布設した板状バー導体を、前記回路部品に向けて盤内に送風する冷却風の流れに対して上流左側に配した左側板状バー導体はその左側縁を、上流右側に配した右側板状バー導体はその右側側縁をそれぞれＬ形に屈曲し、前記右側板状バー導体と前記左側板状バー導体とで、前記盤内に送風する冷却風を前記回路部品に向けて導風する断面Ｕ字形の風胴を形成したことを特徴とする（請求項１）。
（２）前項（１）において、風胴形状に形成した前記バー導体の風胴入口側に冷却風を取り込む風向ガイドを形成する（請求項２）。
（３）前項（１），（２）に適用するフィルタ回路部の回路部品は、主回路の入，出力側に接続したノイズ抑制用のコンデンサである（請求項３）。
【発明の効果】
【００１２】
上記構成によれば、ユニット化して盤内に収容したフィルタ回路部に専用の風胴部材を別設することなしに、該フィルタ回路部の部品相互間に跨がって布設した風胴形状に形成したバー導体により、盤内に送風する冷却風を回路部品に向け集中的に導風して該回路部品を風冷冷却することができる。また、専用の風胴部材（従来構造）を排除したことで盤内に収容するユニットの省スペース化が図れるほか、風胴を兼用するバー導体自身が熱遮蔽体として、その周辺に近接配置した他の回路部品，機器との不要な熱的干渉を抑制できる。
【図面の簡単な説明】
【００１３】
【図１】本発明の実施例に係わるフィルタ回路部の組立構造を表す図であって、（ａ）は正面図、（ｂ）は側面図、（ｃ）は模式斜視図である。
【図２】図１の応用実施例を示すフィルタ回路部の構造図であって、（ａ）は側面図、（ｂ）は冷却風の上流側に配した銅バー導体の外形斜視図である。
【図３】本発明の実施対象となるインバータ盤の全体構成図であって、（ａ）は正面図、（ｂ）は側視断面図である。
【図４】フィルタ回路部を組み込んだ図３におけるＭＣユニットの構成図であって、（ａ）は側視断面図、（ｂ）は（ａ）の平面図である。
【図５】図４におけるコンデンサ回路部の従来における組立構造を表す図であって、（ａ）は正面図、（ｂ）は側面図である。
【図６】図５におけるコンデンサの略示結線図である。
【発明を実施するための形態】
【００１４】
以下、本発明の実施の形態を図１〜図４に示す実施例に基づいて説明する。なお、図示実施例において、図５（ａ），（ｂ）に対応する部材には同じ符号を付してその説明は省略する。
【００１５】
図１（ａ），（ｂ）は図５（ａ），（ｂ）に対応する本発明実施例のフィルタ回路部１３の組立構造図であり、この実施例では図５の従来構造に設けていた専用の風胴２０を排除した上で、ユニットフレーム６ａに千鳥状配列してＵ，Ｖ，Ｗ相間にデルタ結線する各相のコンデンサ１４に対して、その相互間に跨がって布設した銅バー導体１５，１６，１７が次記のように風胴形状に形成されている。
【００１６】
すなわち、図示のようにコンデンサ１４に向けて盤内に送風する冷却風の流れに対して上流左側に配した銅バー導体１６はその左側縁１６ａを、右側に配した銅バー導体１７はその右側縁１７ａをそれぞれＬ形に屈曲し、この銅バー導体１６と１７とでコンデンサ１４に対応する断面Ｕ形の風胴を形成している。
【００１７】
この構成により銅バー導体１６，１７自身が風胴として機能し、ユニットフレーム６ａのパネル面に沿って盤内に送風される冷却風をコンデンサ１４に向け集中的に導風してコンデンサ１４を良好に冷却することができる。
【００１８】
また、構造的には専用の風胴２０（図５参照）を排除したことで、従来構造と比べて部品点数の削減化、およびユニットフレーム６ａのスペース幅ｄを縮減して盤内の省スペース化が図れる。
【００１９】
さらに、銅バー導体１６，１７の左右側縁１６ａ、１７ａをＬ形に屈曲形成したことで、この屈曲形成された側壁部分（６ａ、１７ａ）が熱遮蔽壁として機能し、コンデンサ１４の周辺に並置した他の回路部品，機器との間の不要な熱的干渉を防ぐことができる。
【００２０】
次に、本発明の応用実施例を図２（ａ），（ｂ）に示す。この実施例では、図１で述べた風胴兼用の銅バー導体１６，１７について、その前縁（風胴の入口側）には斜め前方に突き出す風向ガイド１６ｂ，１７ｂを追加形成している。したがって、この風胴入口側の開口高さL1が出口側の開口高さL2よりも大（L1＞L2）となり、これによりコンデンサ１４に向けて導風する冷却風の取り込み風量を増やしてコンデンサの冷却性能を高めることができる。
【００２１】
なお、上記の図示実施例では、電力変換装置のノイズ低減対策として主回路の入，出力側に接続したフィルタ回路１３のコンデンサ１４を対象とした配線構造について述べたが、本発明はコンデンサへの適用に限定されるものではなく、例えば主回路に接続するリアクトルの配線構造にも同様に実施適用することが可能である。
【符号の説明】
【００２２】
１：電力変換装置の制御盤
３：コンバータ回路ユニット
４：インバータ回路ユニット
６：ＭＣユニット
６ａ：ユニットフレーム
８：送風ファン
９：吸気口グリル
１３：フィルタ回路部
１４：コンデンサ
１５，１６，１７：銅バー導体
１８，１９：主回路電線
【図１】
0005699555.tif 000002
【図２】
0005699555.tif 000003
【図３】
0005699555.tif 000004
【図４】
0005699555.tif 000005
【図５】
0005699555.tif 000006
【図６】
0005699555.tif 000007